(57)【要約】      （修正有）【課題】簡易な構成によって、植物等の栽培にかかる手間を軽減することのできるプランタを提供する。【解決手段】植物が植えられた栽培容器を収容するプランタ１０において、上部が開口して形成された開口部２６を有して栽培容器を収容する収容部２０と、収容部２０の開口部２６に開口部２６の上方から嵌合して収容部２０に対して着脱可能に形成された蓋部３０とを備える。【選択図】図１
0003189615.tif 000002
【実用新案登録請求の範囲】
【請求項１】
植物が植えられた栽培容器を収容するプランタにおいて、   上部が開口して形成された開口部を有して前記栽培容器を収容する収容部と、
該収容部の前記開口部に該開口部の上方から嵌合して該収容部に対して着脱可
能に形成された蓋部と、
を備えることを特徴とするプランタ。
【請求項２】
前記蓋部は、
前記収容部の前記開口部の開口端縁に当接する下面と、
該下面から前記開口部に向かって突出して該開口部の内側面に摺接あるいは当
接する突出部と、
を備えることを特徴とする請求項１に記載のプランタ。
【請求項３】
前記収容部は、
前記開口部の内側面に設けられて前記蓋部が前記収容部に装着された状態で前
記蓋部の前記突出部の先端に当接する規制部を備えることを特徴とする請求項２
に記載のプランタ。
【請求項４】
前記蓋部は、
前記収容部に装着された状態で前記開口部を被覆する枠部と、
該枠部に嵌装されるガラス板と、
を備えることを特徴とする請求項１〜３のいずれか1項に記載のプランタ。
【考案の詳細な説明】
【技術分野】
【０００１】
本考案は、プランタ、特に、植物が植えられた栽培容器を収容するプランタに
関する。
【背景技術】
【０００２】
プランタは、一般的に、植物や野菜等の栽培に用いられる栽培容器であり、栽
培用の土が盛られて植物等が植えられた小型の鉢から、このような鉢を複数個収
容する比較的大型のものまで、種々のものが存在している。
【０００３】
ところで、このようなプランタを屋外に配置して植物等を栽培する場合には、
植物等に害虫が集まって害虫被害を受ける可能性があることから、植物等を害虫
から防護する防護部材がプランタに設けられることが好ましい。
【０００４】
このように、プランタには植物等を害虫から防護する防護部材が設けられるこ
とが好ましい一方で、植物等の栽培には、適度な光線を確保することが必要であ
る。
【０００５】
このような対策として、特許文献１には、植物等が害虫被害を受けることを防
止することを目的とした植物栽培用コンテナが提案されている。この特許文献１
の植物栽培用コンテナは、栽培容器を収容するベース容器、及びベース容器に装
着される防護部材を備える。
【０００６】
この植物栽培用コンテナは、外方に突出するフランジがベース容器及び防護部
材に設けられており、これらのフランジが互いに重ね合わせられた状態でフラン
ジが保持部材に挟持されて、防護部材がベース容器に装着される。
【０００７】
一方、防護部材は、網目状のネット等で構成されていることから、害虫が植物
等に集まってくることを防止するとともに、適度な光線を確保することができる。
【先行技術文献】
【特許文献】
【０００８】
【特許文献１】特開２００５−１６０３８６公報
【考案の概要】
【考案が解決しようとする課題】
【０００９】
しかし、特許文献１の植物栽培用コンテナによると、ベース容器及び防護部材
のフランジが互いに重ね合わせられた状態で、フランジが保持部材に挟持される
ことで防護部材がベース容器に装着されることから、ベース容器への防護部材の
装着作業が煩雑になることが想定される。
【００１０】
しかも、防護部材の装着に際して、フランジを挟持する保持部材といった別部
材が必要になることから、防護部材を取り外して植物栽培用コンテナを使用する
場合は、別部材である保持部材を紛失する可能性がある。
【００１１】
さらに、防護部材は網目状のネット等で構成されていることから、植物栽培用
コンテナを冬季に屋外で使用する場合は、寒気によって植物等を傷めてしまうこ
とが懸念される。
【００１２】
本考案は、上記課題に鑑みてなされたものであり、その目的は、簡易な構成に
よって、植物等の栽培にかかる手間を軽減することのできるプランタを提供する
ことにある。
【課題を解決するための手段】
【００１３】
上記課題を解決するための請求項１に記載の考案によるプランタは、植物が植
えられた栽培容器を収容するプランタにおいて、上部が開口して形成された開口
部を有して前記栽培容器を収容する収容部と、該収容部の前記開口部に該開口部
の上方から嵌合して該収容部に対して着脱可能に形成された蓋部と、を備えるこ
とを特徴とする。
【００１４】
この構成によれば、収容部の開口部に嵌合する蓋部を形成するという簡易な構
成、かつ収容部の開口部の上方から開口部に向かって蓋部を下降させるという簡
易な装着作業によって、蓋部を収容部に安定的に装着することができる。
【００１５】
その一方で、蓋部を収容部から取り外す場合は、蓋部を上方に持ち上げること
で容易に取り外すことができることから、植物等の栽培にかかる手間を軽減する
ことができる。
【００１６】
請求項２に記載の考案によるプランタは、請求項１に記載のプランタにおいて、
前記蓋部は、前記収容部の前記開口部の開口端縁に当接する下面と、該下面から
前記開口部に向かって突出して該開口部の内側面に摺接あるいは当接する突出部
と、を備えることを特徴とする。
【００１７】
この構成によれば、蓋部の下面が開口部の開口端縁に当接することで、収容部
の開口部が蓋部によって被覆されるとともに、突出部が開口部の内側面に摺接あ
るいは当接することで、蓋部が開口端縁上を摺動することが防止される。従って、
蓋部を、収容部に安定的に装着することができる。
【００１８】
請求項３に記載の考案によるプランタは、請求項２に記載のプランタにおいて、
前記収容部は、前記開口部の内側面に設けられて前記蓋部が前記収容部に装着さ
れた状態で前記蓋部の前記突出部の先端に当接する規制部を備えることを特徴と
する。
【００１９】
この構成によれば、突出部の先端が規制部に当接することで、蓋部が収容部に
対して適切に位置決めされるとともに、突出部の下方への挙動が規制されて、突
出部が開口部に適切に嵌合する。
【００２０】
請求項４に記載の考案によるプランタは、請求項１〜３のいずれか１項に記載
のプランタにおいて、前記蓋部は、前記収容部に装着された状態で前記開口部を
被覆する枠部と、該枠部に嵌装されるガラス板と、を備えることを特徴とする。
【００２１】
この構成によれば、蓋部が、枠部及び枠部に嵌装されるガラス板を備えること
から、植物等の栽培に必要な光線等を収容部内に採り入れることができる。
【考案の効果】
【００２２】
この考案によれば、蓋部を収容部に容易に装着あるいは容易に取り外すことが
できることから、植物等の栽培にかかる手間を軽減することができる。その結果、
冬季であれば、蓋部を収容部に簡易に装着して、閉塞された収容部内の通気を制
御して、収容空間内の温度を制御することができる。従って、寒気から植物等を
保護することができる。
【００２３】
一方で、比較的温暖な季節であれば、蓋部を収容部から容易に取り外して通気
量を確保し、自然な状態で植物等を栽培することができる。
【図面の簡単な説明】
【００２４】
【図１】本発明の実施の形態に係るプランタの概略を説明する図である。
【図２】同じく、本実施の形態に係るプランタの収容部の概略を説明する図である。
【図３】同じく、本実施の形態に係るプランタの蓋部が収容部に装着される構成の概略を説明する図である。
【考案を実施するための形態】
【００２５】
次に、図１〜図３を参照して本考案の実施の形態について説明する。
【００２６】
図１は、本実施の形態に係るプランタの概略を説明する図であり、図２は、本
実施の形態に係るプランタの収容部の概略を説明する図である。図１で示すよう
に、プランタ１０は、本実施の形態では、植物が植えられた鉢等の図示しない小
型の栽培容器を収容するものであり、複数の栽培容器を収納可能に形成されてい
る。
【００２７】
このプランタ１０は、栽培容器を収容する収容部２０、及び収容部２０に対し
て着脱可能に形成された蓋部３０を主要構成として備える。
【００２８】
収容部２０は、正面部２１、正面部２１と対向する後面部２２、正面部２１と
後面部２２とを連結する第１側面部２３及び第２側面部２４を有し、かつこれら
正面部２１、後面部２２、第１側面部２３及び第２側面部２４の下端縁に設けら
れた底部２５を有してボックス状に形成される。
【００２９】
この収容部２０は、正面部２１、後面部２２、第１側面部２３及び第２側面部
２４、及び底部２５によって囲まれた空間が栽培容器の収容空間として構成され、
この収容空間と連続して上部が開口した開口部２６が形成されている。
【００３０】
この開口部２６は、正面部２１、後面部２２、第１側面部２３及び第２側面部
２４のそれぞれの上端縁によって構成され、これら各上端縁によって、開口部２
６の開口端縁２６ａが構成される。
【００３１】
一方、正面部２１、後面部２２、第１側面部２３及び第２側面部２４のそれぞ
れの内側面が、本実施の形態では、開口部２６の内側面２６ｂとして構成される。
【００３２】
収容部２０は、本実施の形態では、開口部２６の開口端縁２６ａから底部２５
に向かって設定された間隔αを介在させた開口部２６の内側面２６ｂ、すなわち
正面部２１、後面部２２、第１側面部２３及び第２側面部２４のそれぞれの内側
面に亘って、角材で形成された規制部２７が設けられている。
【００３３】
この規制部２７は、開口部２６からの平面視において、開口部２６に倣った枠
状で開口部２６の内側面２６ｂに形成されている。
【００３４】
正面部２１の規制部２７と第１側面部２３の規制部２７との間、第１側面部２
３の規制部２７と後面部２２の規制部２７との間、後面部２２の規制部２７と第
２側面部２４の規制部２７との間、及び第２側面部２４の規制部２７と正面部２
２の規制部２７との間には、図２で示すように、略三角柱状に形成された補強部
材４０が、ネジ４１によって取り付けられている。
【００３５】
上記構成の収容部２０は、本実施の形態では、角材で形成された４本の脚部２
８によって支持されている。これら４本の脚部２８にはそれぞれ、脚部２８と同
様に角材で形成された横木２９が架設されて、脚部２８が補強される。
【００３６】
蓋部３０は、上面を構成する枠部３１、枠部３１に倣った形状を有して枠部３
１と対向する下面３２、この下面３２と枠部３１とを連続する側部３３を有して
形成される。
【００３７】
枠部３１は、収容部２０の開口部３０を被覆する大きさに形成され、上面の外
縁を構成する外枠３１Ａ、及び上面を複数の窓部３１Ｃに区画する仕切枠３１Ｂ
を備える。この仕切枠３１Ｂで区画された複数の窓部３１Ｃ、本実施の形態では
４つの窓部３１Ｃにそれぞれ、ガラス板３１Ｄが嵌装される。
【００３８】
一方、蓋部３０の下面３２には、角材で形成された突出部３４が設けられてい
る。この突出部３４は、下面３２において平面視略ロ字状で収容部２０側に突出
して形成され、収容部２０の開口部２６の上方から、開口部２６に嵌合可能に形
成される。
【００３９】
この突出部３４が開口部２６に嵌合する構成の概略を、図３を用いて説明する。
図３（ａ）で示すように、突出部３４は、下面３２側の基端３４ａ、基端３４
ａと対向する先端３４ｂ、基端３４ａ及び先端３４ｂを連続する側部３４ｃを備
える。
【００４０】
この側部３４ｃは、本実施の形態では、基端３４ａと先端３４ｂとが、収容部
２０における開口部２６の開口端縁２６ａから底部２５に向かって設定された間
隔αと等間隔で離間する高さを有して形成される。すなわち、側部３４ｃの高さ
と間隔αの高さとが一致する。
【００４１】
一方、収容部２０の開口部２６の内側面２６ｂに形成された規制部２７は、上
部２７ａ、下部２７ｂ及び側部２７ｃを有して形成され、側部２７ｃにおいて開
口部２６の内側面２６ｂに設けられている。
【００４２】
突出部３４を開口部２６に嵌合させる場合、すなわち蓋部３０を収容部２０に
装着する場合は、収容部２０の開口部２６の上方から、開口部２６に向かって蓋
部３０を下降させる。
【００４３】
開口部２６に向かって蓋部３０を下降させて蓋部３０を収容部２０に装着した
場合、すなわち突出部３４を開口部２６に嵌合させた場合は、図３（ｂ）に示す
ように、蓋部３０の下面３２が、開口部２６の開口端縁２６ａに当接し、突出部
３４の側部３４ｃが開口部２６の内側面２６ｂに摺接あるいは当接する。
【００４４】
蓋部３０の下面３２が開口部２６の開口端縁２６ａに当接することで、収容部
２０の開口部２６が蓋部３０によって被覆されるとともに、突出部３４の側部３
４ｃが開口部２６の内側面２６ｂに摺接あるいは当接することで、蓋部３０が開
口端縁２６ａ上を摺動することが防止される。
【００４５】
一方、突出部３４を開口部２６に嵌合させて蓋部３０を収容部２０に装着させ
ると、蓋部３０の下面３２に設けられた突出部３４の先端３４ｂが、規制部２７
の上部２７ａに当接する。
【００４６】
突出部３４の先端３４ｂが規制部２７の上部２７ａに当接することで、蓋部３
０が収容部２０に対して適切に位置決めされるとともに、突出部３４の下方への
挙動が規制されて、突出部３４が開口部２６に適切に嵌合する。
【００４７】
このプランタ１０の収容部２０に蓋部３０が未装着の状態で、開口部２６を介
して複数の栽培容器を収容部２０の底部２５に配置して、栽培容器を収容部２０
の収容空間内に収容させる。
【００４８】
その後、蓋部３０の下面３２に設けられた突出部３４を、収容部２０の開口部
２６に嵌合させて、蓋部３０を収容部２０に装着する。これにより、蓋部３０の
下面３２が開口部２６の開口端縁２６ａに当接して収容部２０の開口部２６が蓋
部３０によって被覆されるとともに、突出部３４の側部３４ｃが開口部２６の内
側面２６ｂに摺接あるいは当接することで、蓋部３０が開口端縁２６ａ上を摺動
することが防止される。
【００４９】
さらに、突出部３４の先端３４ｂが規制部２７の上部２７ａに当接することで、
蓋部３０が収容部２０に対して適切に位置決めされるとともに、突出部３４の下
方への挙動が規制されて、突出部３４が開口部２６に適切に嵌合する。
【００５０】
このように、蓋部３０の下面３２に、収容部２０の開口部２６に嵌合する突出
部３４を設ける簡易な構成によって、蓋部３０を収容部２０に安定的に装着する
ことができる。
【００５１】
しかも、収容部２０の開口部２６の上方から開口部２６に向かって蓋部３０を
下降させるという簡易な装着作業によって、蓋部３０を収容部２０に安定的に装
着することができる一方、蓋部３０を収容部２０から取り外す場合は、蓋部３０
を上方に持ち上げることで容易に取り外すことができることから、植物等の栽培
にかかる手間を軽減することができる。
【００５２】
このようなプランタ１０に、植物等が植えられた栽培容器を収容して屋外に配
置する場合は、冬季であれば、蓋部３０を収容部２０に装着することによって、
閉塞された収容部２０の収容空間内の通気を制御して、収容空間内の温度を制御
することができる。その結果、寒気から植物等を保護することができる。
【００５３】
一方、比較的温暖な季節であれば、蓋部３０を収容部２０から取り外して通気
量を確保し、自然な状態で植物等を栽培することができる。
【００５４】
さらに、蓋部３０にガラス板３１Ｄが嵌装されていることから、植物等の栽培
に必要な太陽光等の光線を収容部２０内に採り入れることができる。
【００５５】
なお、本考案は上記実施の形態に限定されることはなく、考案の趣旨を逸脱し
ない範囲で種々変更可能である。上記実施の形態では、蓋部３０の下面３２に突
出部３４が設けられて収容部２０の開口部２６に突出部３４が嵌合する場合を説
明したが、例えば、開口部２６に、蓋部３０の突出部３４に嵌合する突出部を設
けて蓋部３０を収容部２０に装着させるように構成してもよい。
【符号の説明】
【００５６】
１０    プランタ
２０    収容部
２６    開口部
２６ａ    開口端縁
２６ｂ    内側面
２７    規制部
２７ａ    上部
３０    蓋部
３１    枠部
３１Ｃ    窓部
３１Ｄ    ガラス板
３２    下面
３４    突出部
３４ｂ    先端
α    間隔
【図１】
0003189615.tif 000003
【図２】
0003189615.tif 000004
【図３】
0003189615.tif 000005